(57)【要約】【課題】  画像を連続的に出力または記録する撮像装置において、取り付けられるレンズの種類によらず、アダプタの映り込みやケラレの発生を撮影者に効果的に報知すること。【解決手段】  撮像素子（１０５）で生成された電気信号に基づいて画像信号が生成されると、信号処理回路（１０７）により、この画像信号におけるケラレが検出され、ここでケラレが検出されると、そのケラレの情報が、当該画像とともに液晶画面（１１３）またはビューファインダー（１１４）に表示される。【選択図】  図１
2005210471.tif 000002
【特許請求の範囲】
【請求項１】
光学系を介して結像した被写体像を電気信号に変換する撮像手段と、
この撮像手段により生成された電気信号に基づいて画像信号を生成する生成手段と、
この生成手段により生成された画像信号を表示する表示手段と、
前記画像信号におけるケラレを検出する検出手段と、
この検出手段によりケラレが検出された場合、そのケラレの情報を当該画像とともに前記表示手段に表示させる制御手段と、
を有することを特徴とする撮像装置。
【請求項２】
前記ケラレの情報は、当該ケラレが生じている旨のメッセージであることを特徴とする請求項１に記載の撮像装置。
【請求項３】
前記ケラレの情報は、当該ケラレの範囲を示す情報であることを特徴とする請求項１または２に記載の撮像装置。
【請求項４】
前記制御手段は、前記表示手段に、当該ケラレの範囲に特定の模様を重ねて表示させることを特徴とする請求項３に記載の撮像装置。
【請求項５】
前記制御手段は、前記表示手段に、当該ケラレの範囲を別の画像に置き換えて表示させることを特徴とする請求項１に記載の撮像装置。
【請求項６】
光学系を介して結像した被写体像を電気信号に変換する撮像デバイスと、画像を表示する表示デバイスとを有する撮像装置の制御方法であって、
前記撮像デバイスにより生成された電気信号に基づいて画像信号を生成する生成ステップと、
この生成ステップにより生成された画像信号におけるケラレを検出する検出ステップと、
この検出ステップによりケラレが検出された場合、そのケラレの情報を当該画像とともに前記表示デバイスに表示させる制御ステップと、
を有することを特徴とする撮像装置の制御方法。
【発明の詳細な説明】
【技術分野】
【０００１】
本発明は、デジタルビデオカメラ、デジタルスチルカメラなど、レンズから入射した光が撮像素子を介して光電変換され、撮像情報をデジタル信号として記録する撮像装置に関し、特に、記録された撮像の周辺に光量不足が原因で起きるいわゆるケラレの発生を撮影者に知らせる撮像装置に関する。
【背景技術】
【０００２】
撮像装置において、レンズの特性により像周辺での光量不足から起きるケラレを回避するために、撮像された画像に画像処理を行うシステムが提案されている。たとえば特開平１１−２３４５０９号公報（特許文献１）には、精度の低いレンズにより引き起こされる歪曲収差やケラレを、電子変倍処理により補正してプリント出力する画像処理方法及び画像処理装置が開示されている。
【０００３】
【特許文献１】特開平１１−２３４５０９号公報
【発明の開示】
【発明が解決しようとする課題】
【０００４】
しかしながら、特開平１１−２３４５０９号公報に開示された画像処理方法では、レンズに関する情報を画像処理の判別情報として記録し、一枚の画像を出力するたびに前記判別情報をもとに画像を補正するため、ビデオカメラのように画像を連続的に出力または記録する撮像装置では補正の処理速度がその連続的な出力や記録の速度に追いつかないという欠点や、撮像装置の使用者が任意で選んだレンズを取り付けた場合には補正をすることができないという欠点があった。
【０００５】
また、撮像装置のレンズのフィルタネジに取り付けられるコンバージョンレンズ等のアクセサリーは一般に、レンズのフィルタ径の大きさに比例して高価であるため、安価な小径フィルタネジ径用のアクセサリーを、フィルタネジ径の大きな撮像装置のレンズのフィルタネジにアダプタを介して取り付けるほうがコストを低く抑えられる。しかし、この方法では像の周辺にアダプタ部が映り込んでしまう。フィルタ径が同じ、またはアクセサリーの方が大きなフィルタ径を有する場合でも、アクセサリーまたは本体ボディの特性によっては、撮像装置の像に周辺光量不足を引き起こし、ケラレを発生してしまう。
【０００６】
本発明はこのような事情に鑑みてなされたもので、画像を連続的に出力または記録する撮像装置において、取り付けられるレンズの種類によらず、アダプタの映り込みやケラレの発生を撮影者に効果的に報知することを目的とする。
【課題を解決するための手段】
【０００７】
上記した課題は本発明の撮像装置およびその制御方法によって解決される。本発明の一側面に係る撮像装置は、光学系を介して結像した被写体像を電気信号に変換する撮像手段と、この撮像手段により生成された電気信号に基づいて画像信号を生成する生成手段と、この生成手段により生成された画像信号を表示する表示手段と、前記画像信号におけるケラレを検出する検出手段と、この検出手段によりケラレが検出された場合、そのケラレの情報を当該画像とともに前記表示手段に表示させる制御手段とを有することを特徴とする。
【０００８】
また、本発明の別の側面は、光学系を介して結像した被写体像を電気信号に変換する撮像デバイスと、画像を表示する表示デバイスとを有する撮像装置の制御方法に係り、前記撮像デバイスにより生成された電気信号に基づいて画像信号を生成する生成ステップと、この生成ステップにより生成された画像信号におけるケラレを検出する検出ステップと、この検出ステップによりケラレが検出された場合、そのケラレの情報を当該画像とともに前記表示デバイスに表示させる制御ステップとを有することを特徴とする。
【発明の効果】
【０００９】
本発明によれば、画像を連続的に出力または記録する撮像装置において、取り付けられるレンズの種類によらず、アダプタの映り込みやケラレの発生を撮影者に効果的に報知することができる。
【発明を実施するための最良の形態】
【００１０】
以下、図面を参照して本発明の好適な実施形態について詳細に説明する。
【００１１】
図１に本実施形態に係るデジタルビデオカメラの構成を示すブロック図を、図２にはケラレの警告表示の一例をそれぞれ示す。
【００１２】
図１に示されるデジタルビデオカメラ１０１は、本体レンズ部１０２の光軸前方に、フィルタネジ部で本体レンズのフィルタ径より小径のネジ径を持つアクセサリー１０３が、フィルタネジ径を変換するアダプタ１０４を介して取り付けられている。アクセサリー１０３は、例えばコンバージョンレンズやレンズフードなどである。アクセサリー１０３を通って入射した光は、レンズ部１０２を通り、ＣＣＤなどの撮像素子１０５上に結像する。撮像素子１０５上に結像した像は、撮像素子１０５で光電変換されアナログ信号を出力する。撮像素子１０５から送られたアナログ信号は、Ａ／Ｄコンバータ１０６でアナログ信号からデジタル信号として信号処理回路１０７に送られ、信号処理回路１０７内で色信号成分と輝度信号成分に分離して、レコーダー部１０８で図示しない記録媒体に記録される。また、信号処理回路１０７にはデジタル効果処理回路１０９が接続され、デジタル信号に対して特殊処理を行うことができる。
【００１３】
また、このデジタルビデオカメラ１０１には、ケラレ検出スイッチ１１０が設けられている。デジタルビデオカメラ１０１の使用者が、映り込みやケラレといった周辺光量の不足によって発生する、画質の低下を引き起こすと考えられるアクセサリー１０３をレンズ部１０２前方に取り付けたときに、デジタルビデオカメラ１０１の使用者自身がこのケラレ検出スイッチ１１０を使用する。本実施形態では、より多くの種類のアクセサリー１０３に対応できるように、デジタルビデオカメラ１０１の使用者自身がケラレ検出スイッチ１１０を入れる設定としたが、アクセサリー１０３自体に固有の識別情報を持たせることで、デジタルビデオカメラ１０１が映り込みやケラレの原因になるようなアクセサリー１０３が取り付けられたことを認識し、このケラレ検出スイッチ１１０をオンにするという構成を採ることも考えられる。
【００１４】
このケラレ検出スイッチ１１０をオンにすると、信号処理回路１０７は、撮像素子１０５に結像した像のうち光量が一定量よりも不足している部分をケラレとして検出する。ここでケラレが検出されると、デジタル効果処理回路１０９は、図２の２０２に示すような、ケラレが生じている旨のメッセージを液晶画面１１３またはビューファインダー１１４に表示する。このような表示によってケラレの有無を使用者に知らせることになるので、使用者はケラレが生じたときにそのケラレを回避する手段を講じることができる。
【００１５】
あるいは、ケラレが検出された場合、デジタル効果処理回路１０９は、当該画像のケラレの範囲全体に特定の模様、例えば図２に示すような黄色い斜線２０１、を重畳した画像を、液晶画面１１３またはビューファインダー１１４に表示することもできる。この場合、あわせて上記のようなケラレが生じている旨のメッセージ２０２を表示するようにしてもよい。
【００１６】
この処理を行うと、例えば黒い被写体を撮像しているときには、被写体全体が光量不足を知らせる表示に覆われてしまう。そのため、使用者が撮像を行う前に像全体を白い被写体で覆うことができるような撮像を行う。例えばホワイトバランスを調整する際に使用する白い平面状の被写体を撮像してから、実際の撮像を行うことにより、小径のアクセサリー１０３に起因する撮像範囲周辺部の光量不足と、被写体自体に起因する光量不足を区別することができる。この方法以外にも、例えば特開２０００−３１４８３４に示されているように、撮像素子からの輝度信号により、自動的にケラレ範囲を認識する方法等でも良い。
【００１７】
以上の処理より、デジタルビデオカメラ１０１の使用者は、撮像する前にこの光量不足の範囲を認識し、画像周辺に光量不足の範囲が存在する場合に、デジタルビデオカメラ１０１の使用者はアクセサリーのアダプタ１０４の映り込み、または周辺光量不足によるケラレが発生していることを認識することができる。
【００１８】
また、デジタルビデオカメラ１０１には、メニュー表示ボタン１１１とメニュー選択ボタン１１２が設けられている。メニュー表示ボタン１１１が押圧されると、システムコントロールマイコン１１５にその押圧されたことが伝わり、液晶画面１１３またはビューファインダー１１４にメニューの一覧が表示される。使用者はメニュー選択ボタン１１２を操作することにより、この表示されたメニューの中からメニューを選択し、選択したメニューに応じた各種設定を行うことができる。選択できるメニューの中には、大きく分けて撮影に関するメニューと再生に関するメニューがあり、本実施形態のデジタルビデオカメラ１０１には撮影に関するメニューの中に、通常のビデオカメラに用意されている撮影に関する設定のほかに、映り込みやケラレに関するメニューが用意されている。以下、このメニューをケラレモード設定メニューとする。
【００１９】
図３に、ケラレモード設定に係る処理のフローチャートを示す。まず、ステップＳ３０１において、デジタルビデオカメラ１０１が映り込みまたはケラレを認識し、ステップＳ３０２で、液晶画面１１３またはビューファインダー１１４に警告表示２０２や黄色の斜線２０１（図２を参照）を表示する。
【００２０】
次に、ステップＳ３０３で、使用者によるメニュー選択ボタン１１２の操作に基づいてケラレモード設定メニューが選択されたどうかを判断する。ここでケラレモード設定メニューが選択された場合は、Ｓ３０５の切り取りモードまたはＳ３０６のフレームモードの選択画面が表示されるようになっている。このステップＳ３０３において、ケラレモードの設定メニューが選択されなければ、ステップＳ３１２に進み、そのまま撮像、記録を実行する。
【００２１】
ステップＳ３０５の切り取りモードが選択された場合は、ステップＳ３０７において、デジタル効果処理回路１０９により撮像素子１０５に結像した像の中心部分を切り取り、ステップＳ３１１で、画面全体に引き伸ばす処理を行い、信号処理回路１０７にその像を出力し、ステップＳ３１２で記録を行う。切り取り範囲については、デジタルビデオカメラ１０１の使用者が任意に設定することができる。
【００２２】
次に、ステップ３０６のフレームモードが選択された場合について説明する。図４には、ステップＳ３０６のフレームモードで選択されるフレーム４０１の例を示す。ステップＳ３０３でフレームモードが選択されると、液晶画面１１３またはビューファインダー１１４上に、映り込みまたはケラレの範囲を覆い隠すような額縁状のフレームのサンプル画像、またはフレームの名称の一覧がステップＳ３０８のフレーム選択時に表示される。デジタルビデオカメラ１０１の使用者がその一覧の中からフレーム４０１を選択すると、そのフレーム４０１に関する各種設定項目が表示される。この各種設定項目は、ステップＳ３０９の「フレーム無加工」および、ステップＳ３１０の「フレーム加工」を含む。
【００２３】
ここで、ステップＳ３０９の「フレーム無加工」が選択されると、選択されたフレーム４０１がそのままステップＳ３１１で画像処理され、撮像画像にフレーム４０１が加えられてステップＳ３１２で記録される。
【００２４】
一方、ステップＳ３１０の「フレーム加工」が選択されると、ケラレの範囲を覆い隠す処理が行われる。これは具体的には、ケラレの範囲に相当する範囲を、別の画像に置き換える処理である。「ケラレの範囲に相当する範囲」には検出されたケラレの範囲をそのまま用いてもよいし、使用者がそれを変更することもできる。ステップＳ３１０の「フレーム加工」が選択されると、設定項目として挙げられる、例えばフレーム４０１が撮像画像を覆い隠す範囲の設定や、フレームの色、フレームに追加する文字４０３または写真や絵４０２の設定を行うことができる。この設定が完了すると、ステップＳ３１１でデジタル効果処理回路１０９により撮像素子１０５に結像した像の周辺にステップＳ３１０で設定された文字・画像を追加する画像処理を行い、信号処理回路１０７にその像を出力し、ステップＳ３１２で記録を行う。このフレーム加工の処理によれば、映り込みやケラレの回避としてだけではなく、通常の撮影時に用いる特殊効果の一つとして、演出効果を与えることもできる。
【００２５】
以上、本発明の好適な実施形態を説明した。上述の実施形態ではデジタルビデオカメラについて説明をしたが、デジタルスチルカメラの動画モード等、その他の撮像装置における動画記録に適用できることは言うまでもない。
【図面の簡単な説明】
【００２６】
【図１】本発明の実施形態に係るデジタルビデオカメラの構成を示すブロック図である。
【図２】実施形態におけるケラレの警告表示の一例を示す図である。
【図３】実施形態におけるケラレモード設定に係る処理を示すフローチャートである。
【図４】フレームモードにおいて選択されるフレームの例を示す図である。
【図１】
2005210471.tif 000003
【図２】
2005210471.tif 000004
【図３】
2005210471.tif 000005
【図４】
2005210471.tif 000006